(57)【要約】【課題】バッテリパックがビデオカメラの装着部より誤って外れてしまうことを防止する。【解決手段】機器本体２の装着部６に装着されているバッテリパック５に係合するロック爪２５を有すると共にロック方向にスライドするロック部材２１と、ロック部材２１をロック方向に付勢する付勢部材２２と、ロック部材２１を付勢部材２２の付勢力に抗して反ロック方向にスライドさせるロック操作部材２３とを備える。ロック操作部材２３が反ロック方向にスライドされると、ロック部材２１は、反ロック方向にスライドしてバッテリパック５をロック爪２５が仮止め位置までスライドする。バッテリパック５が装着部６より反装着方向に移動されると、ロック部材２１は、移動されるバッテリパック５によってロック爪２５が押圧され、反ロック方向にスライドし、バッテリパック５のロックを解除する。【選択図】図４
2009158197.tif 000002
【特許請求の範囲】
【請求項１】
被装着体が装着される装着部が設けられた機器本体と、
上記装着部に装着されている被装着体に係合するロック爪を有すると共に、上記被装着体の上記装着部への装着方向に対して略直交する上記被装着体のロック方向にスライドするロック部材と、
上記ロック部材を上記ロック方向に付勢する付勢部材と、
上記ロック部材に係合し、上記ロック部材によって上記ロック方向に付勢されていると共に、上記ロック部材を上記付勢部材の付勢力に抗して反ロック方向にスライドさせるロック操作部材とを備え、
上記ロック部材は、上記付勢部材の付勢力によって、上記ロック爪が上記装着部に突出して上記装着部に装着されている被装着体に上記ロック爪が係合し、上記被装着体を上記装着部にロックしており、
上記ロック操作部材が上記反ロック方向にスライドされると、上記ロック部材は、上記付勢部材の付勢力に抗して上記反ロック方向にスライドして、上記装着部に装着されている被装着体を上記ロック爪の先端部で支持して仮止めし、
上記被装着体が上記装着部より反装着方向に移動されると、上記ロック部材は、移動される被装着体によって上記ロック爪が押圧され、上記付勢部材の付勢力に抗して更に反ロック方向にスライドし、上記被装着体のロックを解除することを特徴とする電子機器。
【請求項２】
上記ロック部材のロック爪は、基端側に第１の傾斜面を有し、
上記第１の傾斜面は、上記装着部に装着された状態にある被装着体を上記付勢部材の付勢力によって上記装着方向に押圧することを特徴とする請求項１記載の電子機器。
【請求項３】
上記ロック部材のロック爪は、先端側に上記第１の傾斜面より急峻な第２の傾斜面を有し、
上記第２の傾斜面は、上記ロック部材が仮止め位置にあるとき、上記被装着体を上記装着部に支持することを特徴とする請求項２記載の電子機器。
【請求項４】
上記付勢部材は、単一のコイルバネであることを特徴とする請求項３記載の電子機器。
【請求項５】
上記被装着体は、上記機器本体に電力を供給するバッテリパックであり、
上記バッテリパックの上記装着部への挿入側にバッテリ端子が設けられており、
上記装着部には、上記バッテリパックの装着方向の下流側に、上記バッテリ端子が電気的に接続される端子部が設けられていることを特徴とする請求項１記載の電子機器。
【請求項６】
上記装着部は、上記端子部と反対側が開放されていることを特徴とする請求項５記載の電子機器。
【請求項７】
被装着体が装着される装着部が設けられた機器本体と、
上記装着部に装着されている被装着体に係合するロック爪を有すると共に、上記被装着体の上記装着部への装着方向に対して略直交する上記被装着体のロック方向にスライドするロック部材と、
上記ロック部材に係合して、上記ロック部材を反ロック方向にスライド可能にするロック操作部材と、
上記ロック部材を上記ロック操作部材に対して上記ロック方向に付勢する第１の付勢部材と、
上記ロック操作部材を上記ロック方向に付勢する第２の付勢部材とを備え、
上記ロック部材は、上記第１及び第２の付勢部材の付勢力によって、上記ロック爪が上記装着部に突出して上記装着部に装着されている被装着体に上記ロック爪が係合し、上記被装着体を上記装着部にロックしており、
上記ロック操作部材が上記第２の付勢部材の付勢力に抗して反ロック方向にスライドされると、上記ロック部材は、上記第１の付勢部材の付勢力によって、上記ロック爪が上記装着部に突出して上記装着部に装着されている被装着体に上記ロック爪が係合して仮止め状態となり、
上記被装着体が上記装着部より反装着方向に移動されると、上記ロック部材は、移動される被装着体によって上記ロック爪が押圧され、上記第１の付勢部材の付勢力に抗して反ロック方向にスライドし、上記被装着体のロックを解除することを特徴とする電子機器。
【請求項８】
上記第２の付勢部材の方が上記第１の付勢部材の付勢力より大きいことを特徴とする請求項７記載の電子機器。
【請求項９】
上記ロック爪は、単一の傾斜面で形成されていることを特徴とする請求項８記載の電子機器。
【発明の詳細な説明】
【技術分野】
【０００１】
本発明は、ビデオカメラ等の機器本体の装着部にバッテリパック等の被装着体が装着された状態にロックする機能を備えた電子機器に関する。
【背景技術】
【０００２】
電子機器であるビデオカメラには、ユーザが片手で持つことができる程度の大きさの小型のものがある。この種のビデオカメラには、機器本体の背面部にバッテリパックが装着されることが多い。バッテリパックを機器本体の背面部にある装着部に装着するビデオカメラにあっては、特許文献１のように、装着部の底面部側に端子部が設けられ、バッテリパックのバッテリ端子を下側にして、装着部の上側から装着されるものや、端子部が装着部の上面部側に設けられ、バッテリパックのバッテリ端子を上側にして、装着部の下側から装着されるものがある。このような２つのバッテリパックの装着方法の内で、端子部を装着部の上側に設け、バッテリパックを装着部の下側から装着する方法は、バッテリ端子を装着部の端子部に接続するための空走部分を設ける必要がなくなり、装着部を小さくすることができ、ビデオカメラ全体の小型化に有利である。すなわち、バッテリパックを装着部の上側から装着する場合には、端子部が装着部の底面部側に設けられることになり、バッテリ端子を端子部に係合させるための空走部分となる領域を装着部の上側に余分に設ける必要があり、空走部分だけ、ビデオカメラの小型化には不利となる。
【０００３】
小型化に有利な、端子部を装着部の上側に設け、バッテリパックを装着部の下側から装着するビデオカメラには、例えば図１１及び図１２に示すように、装着部に装着されたバッテリパックが落下しないようにするロック機構１００が設けられている。このロック機構１００は、ビデオカメラの機器本体１０１の背面部に設けられた装着部１０２に装着されたバッテリパック１０３を、機器本体１０１の底面部の背面側のコーナ部でロックする。具体的に、このロック機構１００は、機器本体１０１の底面部の背面側のコーナ部に形成された操作開口部１０４にスライド可能に取り付けられるロック部材１１１を有している。
【０００４】
この操作開口部１０４は、バッテリパック１０３の装着部１０２への装着方向となる図１１中矢印Ｘ方向と略直交する図１１中矢印Ｙ方向を長辺とする長穴によって形成されている。この操作開口部１０４に取り付けられるロック部材１１１は、操作開口部１０４より外部に臨まされユーザによってスライド操作される操作部１１２と、バッテリパック１０３の装着部１０２への装着面のバッテリ端子とは反対側下側コーナ部１１４に係合するロック爪１１３とを有している。このロック部材１１１は、図示しないが、一端部が機器本体１０１側に係止され他端部がロック部材１１１に係止されるコイルバネによって、バッテリパック１０３のロック方向となる図１１中矢印Ｙ方向に付勢されている。
【０００５】
図１１に示すように、バッテリパック１０３を装着部１０２にロックしているとき、ロック部材１１１は、コイルバネの付勢力によって、図１１中矢印Ｙ方向にスライドし、ロック爪１１３が装着部１０２側に突出し、バッテリパック１０３の下側コーナ部１１４に係合し、バッテリパック１０３を装着部１０２にロックした状態にある。
【０００６】
そして、ロック部材１１１の操作部１１２に指を接触させて、ロック部材１１１がコイルバネの付勢力に抗してロックを解除する反ロック方向となる図１２中反矢印Ｙ方向にスライドされると、ロック爪１１３は、装着部１０２より退避し、バッテリパック１０３の下側コーナ部１１４と係合した状態が解除される。これにより、バッテリパック１０３は、装着部１０２より取り外し可能となる。
【０００７】
【特許文献１】特開２００５−１９０９２９号公報
【発明の開示】
【発明が解決しようとする課題】
【０００８】
ところで、小型化に有利な、端子部を装着部１０２の上側に設け、バッテリパック１０３を装着部１０２の下側から装着するビデオカメラは、ユーザが機器本体を把持しているとき等に誤ってロック部材１１１がロックを解除する図１２中反矢印Ｙ方向にスライドされると、図１２中矢印Ｚ方向に自重落下してしまうことになる。バッテリパック１０３がユーザの意に反して装着部１０２より外れてしまうと、録画中にあっては録画が中断されてしまい、また、地面に衝突するとバッテリパック１０３の故障の原因になってしまう。
【０００９】
また、ビデオカメラにあっては、バッテリパック１０３の装着時、バッテリパック１０３のガタつきを無くし、使用感の向上を図る必要もある。
【００１０】
本発明は、以上のような課題に鑑みてなされたものであって、その目的は、バッテリパック等の被装着体がビデオカメラ等の機器本体の装着部より誤って外れてしまうことを防止する電子機器を提供することにある。
【課題を解決するための手段】
【００１１】
本発明に係る電子機器は、被装着体が装着される装着部が設けられた機器本体と、上記装着部に装着されている被装着体に係合するロック爪を有すると共に、上記被装着体の上記装着部への装着方向に対して略直交する上記被装着体のロック方向にスライドするロック部材と、上記ロック部材を上記ロック方向に付勢する付勢部材と、上記ロック部材に係合し、上記ロック部材によってロック方向に付勢されていると共に、上記ロック部材を上記付勢部材の付勢力に抗して反ロック方向にスライドさせるロック操作部材とを備える。そして、上記ロック部材は、上記付勢部材の付勢力によって、上記ロック爪が上記装着部に突出して上記装着部に装着されている被装着体に上記ロック爪が係合し、上記被装着体を上記装着部にロックしている。次いで、上記ロック操作部材が上記反ロック方向にスライドされると、上記ロック部材は、上記付勢部材の付勢力に抗して上記反ロック方向にスライドして、上記装着部に装着されている被装着体を上記ロック爪の先端部で支持して仮止めする。次いで、上記被装着体が上記装着部より反装着方向に移動されると、上記ロック部材は、移動される被装着体によって上記ロック爪が押圧され、上記付勢部材の付勢力に抗して更に反ロック方向にスライドし、上記被装着体のロックを解除する。
【００１２】
また、本発明に係る電子機器は、被装着体が装着される装着部が設けられた機器本体と、上記装着部に装着されている被装着体に係合するロック爪を有すると共に、上記被装着体の上記装着部への装着方向に対して略直交する上記被装着体のロック方向にスライドするロック部材と、上記ロック部材に係合して、上記ロック部材を反ロック方向にスライド可能にするロック操作部材と、上記ロック部材を上記ロック操作部材に対して上記ロック方向に付勢する第１の付勢部材と、上記ロック操作部材を上記ロック方向に付勢する第２の付勢部材とを備える。そして、上記ロック部材は、上記第１及び第２の付勢部材の付勢力によって、上記ロック爪が上記装着部に突出して上記装着部に装着されている被装着体に上記ロック爪が係合し、上記被装着体を上記装着部にロックしている。次いで、上記ロック操作部材が上記第２の付勢部材の付勢力に抗して反ロック方向にスライドされると、上記ロック部材は、上記第１の付勢部材の付勢力によって、上記ロック爪が上記装着部に突出して上記装着部に装着されている被装着体に上記ロック爪が係合して仮止め状態となる。次いで、上記被装着体が上記装着部より反装着方向に移動されると、上記ロック部材は、移動される被装着体によって上記ロック爪が押圧され、上記第１の付勢部材の付勢力に抗して反ロック方向にスライドし、上記被装着体のロックを解除する。
【発明の効果】
【００１３】
本発明では、ユーザによって、ロック操作部材を反ロック方向にスライドさせる操作が行われても、先ずは、ロック部材のロック爪で仮止めされ、直ちにロックが解除されないことから、誤って装着部より被装着体が外れて、例えば落下することを防止することができる。
【発明を実施するための最良の形態】
【００１４】
以下、本発明に係る電子機器が適用されたビデオカメラを例にとり、図面を参照して説明する。
【００１５】
図１及び図３に示すように、本発明が適用されたビデオカメラ１は、機器本体２を有し、この機器本体２の前面部上側にＣＣＤ（Charge-Coupled Devices）、ＣＭＯＳ（Complementary Metal-Oxide Semiconductor）センサ等の撮像素子、撮像レンズ、ズームレンズ等のレンズ群等で構成された撮像部２ａが設けられ、背面部上側にビューファインダ３が設けられている。また、機器本体２の一方の側面部には、ＬＣＤ（Liquid Crystal Display）、有機ＥＬ（ElectroLuminescent）等で形成された表示パネル４が設けられている。表示パネル４は、機器本体２の一方の側面部に２軸ヒンジ等によって開閉及び回動可能に取り付けられており、機器本体２に対して開いた状態にすることによって、ビューファインダ３を見ることなく、撮像操作を行うことができるようになっている。
【００１６】
また、機器本体２には、ハードディスクドライブ、半導体メモリ等の記憶手段が内蔵されており、撮像した映像信号や音声信号を保存できるようになっている。なお、機器本体２には、記憶手段として、ハードディスクドライブや半導体メモリに代わって又はハードディスクドライブに加えて光ディスク、光磁気ディスク、テープカートリッジ等のリムーバル記録媒体の記録再生装置を設けるようにしてもよい。
【００１７】
以上のように構成されたビデオカメラ１は、機器本体２の背面部であって、ビューファインダ３の下側に、機器本体２に対して電力を供給するバッテリパック５が装着される装着部６が設けられている。この装着部６は、図１に示すように、略矩形をなす凹部であり、更に、バッテリパック５が挿入される側の機器本体２の底面部側が開放されている。この装着部６には、ビューファインダ３側の上面部６ａと底面部６ｂとがなすコーナ部にバッテリパック５のバッテリ端子と係合されて電気的に接続される端子部７が設けられている。
【００１８】
また、装着部６には、底面部６ｂと両側面部６ｃ，６ｄとがなすコーナ部に、バッテリパック５を装着部６に支持するための係合溝８が複数形成されている。各係合溝８は、装着部６の内側と機器本体２の底面部側が開放されてなり、バッテリパック５を、機器本体２の底面部側から挿入できるようになっている。
【００１９】
このような装着部６に装着されるバッテリパック５は、図２に示すように、外形形状が略直方体をなし、モールド成形された外筐に４本、６本等複数本の電池素子が内蔵されている。なお、ここで用いられる電池素子は、例えばリチウムイオン二次電池であるが、これに限定されるものではなく、この他の二次電池や一次電池であってもよい。このバッテリパック５の底面部には、略矩形をなす突出部９が形成されている。この突出部９は、機器本体２の装着部６の凹部と略同じ大きさに形成されており、装着部６に装着される部分となる。この突出部９の上側コーナ部には、装着部６の端子部７に係合されて電気的に接続されるバッテリ端子１１が設けられている。バッテリ端子１１は、装着部６の端子部７と電気的に接続されると、機器本体２に対して電力を供給する他、放電電流情報等の情報を機器本体２に対して供給できるようになっている。
【００２０】
また、突出部９の両側面部には、複数の係合片１２が形成されている。これらの係合片１２は、機器本体２の底面部側から図３中矢印Ａ方向からバッテリパック５が装着部６に装着されると、装着部６の係合溝８に係合される。
【００２１】
バッテリパック５は、図３に示すように、突出部９を機器本体２の装着部６側にして、バッテリ端子１１を挿入側として、開放された装着部６の開放端より図３中矢印Ａ方向から挿入され、係合片１２が係合溝８に係合され、バッテリ端子１１が端子部７に係合され電気的に接続される。なお、バッテリパック５のバッテリ端子１１が装着部６の端子部７に電気的に接続された状態において、機器本体２の底面部より突出しないようになっており、机等に置いた際にもガタつきが大きくならないようにしている。
【００２２】
このビデオカメラ１の機器本体２は、高さを低くして小型化を図るため、端子部７を装着部６の上側に設けるようにし、更に、装着部６の底面部側を開放するようにしている。このため、機器本体２の底面部には、装着部６に隣り合って、バッテリパック５のバッテリ端子１１が装着部６の端子部７に電気的に接続された状態を保持するためのロック機構２０が設けられている。このロック機構２０は、装着部６にバッテリパック５が装着された状態において、機器本体２の底面部側の装着部６の開放された部分でバッテリパック５をロックすることによって、装着部６よりバッテリパック５が不用意に脱落することを防止している。
【００２３】
このロック機構２０は、図４及び図５に示すように、装着部６に装着されたバッテリパック５をロックするロック部材２１と、このロック部材２１をロック方向に付勢する付勢部材２２と、ロック部材２１を反ロック方向にスライドさせるロック操作部材２３とを備えている。
【００２４】
ロック部材２１は、図４及び図５に示すように、本体部２４にロック爪２５が形成されてなる。本体部２４は、略矩形をなし、略中央部に、付勢部材２２が収納される収納部２６が形成されている。この収納部２６は、断面略半円状に形成されており、収納部２６の内部には、付勢部材２２の一端部が係止される係止突起２６ａが形成されている。また、本体部２４には、ロック操作部材２３に対してスライドするように、ガイド部２７が形成されている。このガイド部２７は、ここでは、収納部２６の開口端の周囲にスライド方向に直線的に突出して形成されている。
【００２５】
このような本体部２４に一体的に形成されるロック爪２５は、図５に示すように、バッテリパック５のバッテリ端子１１とは反対側の下側コーナ部、より具体的には、突出部９によってコーナ部に形成された段差部１０に係合する。このロック爪２５は、図６に示すように、バッテリパック５を支持する側の面であって本体部２４側の基端側に第１の傾斜面２５ａが形成されている。この第１の傾斜面２５ａは、付勢部材２２によってロック方向に付勢されているとき、付勢部材２２の図６中矢印Ｂ方向の付勢力によって、バッテリパック５を持ち上げるようにして押し上げ、これにより、バッテリパック５を機器本体２の装着部６の上面部６ａに押し付けるようにして、装着部６に装着されたバッテリパック５がガタつかないようにし、使用感の向上を図るようにしている。
【００２６】
また、図６に示すように、ロック爪２５には、先端側に向かって第１の傾斜面２５ａと連続する平坦部２５ｂが形成されている。この平坦部２５ｂは、装着部６に装着されているバッテリパック５に落下する図６中反矢印Ａ方向の力が加わり、第１の傾斜面２５ａを滑り落ちるようなことがあっても、確実に、バッテリパック５の段差部１０を受けることができるようにしている。
【００２７】
更に、ロック爪２５には、平坦部２５ｂより先端側に連続して第２の傾斜面２５ｃが形成されている。この第２の傾斜面２５ｃは、第１の傾斜面２５ａより急峻に形成されている。第２の傾斜面２５ｃは、装着部６に装着されたバッテリパック５を装着部６より取り外すためロック操作部材２３がロックを解除する反ロック方向、すなわち図６中反矢印Ｂ方向にスライドされた際に、バッテリパック５の段差部１０を付勢部材２２の付勢力によって支持する。すなわち、第２の傾斜面２５ｃは、ロック操作部材２３がロックを解除する反ロック方向にスライドされた際に、直ちにロックが解除されて装着部６よりバッテリパック５が外れてしまうのではなく、付勢部材２２の付勢力によって装着部６に仮止めする。そして、第２の傾斜面２５ｃは、急峻に形成されていることで、仮止め状態にあるバッテリパック５に対して取り外す図６中反矢印Ａ方向に力が加わったとき、段差部１０がロック部材２１を付勢部材２２の付勢力に抗して押圧し、滑るようにして外れるようにしている。
【００２８】
なお、バッテリパック５としては、段差部１０がないものであってもよい。段差部１０のないバッテリパック５の場合には、この段差部１０が設けられた位置に対応するコーナ部がロック爪２５と係合することになる。
【００２９】
以上のように構成されたロック部材２１をロック方向、すなわち図４及び図５中矢印Ｂ方向に付勢する付勢部材２２は、図４に示すように、例えばコイルバネであって、ロック部材２１の本体部２４に形成された収納部２６に一端部が係止突起２６ａに係止された状態で取り付けられる。なお、付勢部材２２の他端部は、機器本体２の背面部側の外筐２８にねじや接着剤等の固定手段によって固定される押さえ部材２９に係止される。具体的に、押さえ部材２９には、ロック部材２１やロック操作部材２３の逃げとなる逃げ穴３１が形成されており、付勢部材２２の他端部は、逃げ穴３１の開口端に形成された係止突起３１ａに係止される。したがって、付勢部材２２は、他端部が外筐２８に固定される押さえ部材２９に係止されることによって、ロック部材２１を、ロック方向となる図４及び図５中矢印Ｂ方向に付勢することになる。
【００３０】
以上のような付勢部材２２によってロック方向に付勢されているロック部材２１を反ロック方向、すなわち図４及び図５中反矢印Ｂ方向にスライドさせるロック操作部材２３は、ユーザによって操作される部材であって、図４及び図５に示しように、外筐２８に形成された操作開口部３２より一部が外部に臨まされる。この操作開口部３２は、ロック操作部材２３のスライド量を規制するものあって、反ロック方向の端部が略円弧状に形成され、反対側の装着部６に臨む端部が開放されて形成されている。具体的に、この操作開口部３２の長さは、ロック操作部材２３が反ロック方向である図４及び図５中反矢印Ｂ方向に最後までスライドされたとき、ロック部材２１のロック爪２５の第２の傾斜面２５ｃが装着部６に装着されているバッテリパック５の段差部１０を支持し仮止めの状態になる長さとされている。
【００３１】
この操作開口部３２に取り付けられるロック操作部材２３は、図４及び図５に示すように、操作開口部３２より外部に臨まされるように操作部３３が一方の面側に突出して形成され、反ロック方向側の端部にガイド板３４が形成され、他方の面側、すなわち操作部３３の裏側に、ロック部材２１のスライドをガイドするガイド溝３５が形成されている。
【００３２】
操作部３３は、図４及び図５に示すように、操作開口部３２より外部に臨む部分であって、表面に凹凸によってロック解除時の操作方向を示す操作方向表示部３３ａが形成されている。また、操作部３３は、反ロック方向の端部が操作開口部３２の略円弧状に形成された端部と係合するように、同じ略円弧状に形成されている。なお、操作部３３は、反ロック方向の端部と操作開口部３２の略円弧状に形成された端部の形状は、互いに係合する形状であれば特に限定されるものはない。
【００３３】
ガイド板３４は、図４及び図５に示すように、操作部３３より段差を介して操作部３３から延長して形成されており、操作部３３が操作開口部３２より外部を臨むように取り付けられたとき、外筐２８の内側に沿うように位置し、押さえ部材２９で押さえられ、ロック操作部材２３の脱落を防止すると共にスライドをガイドするようにしている。
【００３４】
操作部３３の裏側に設けられるガイド溝３５は、ロック部材２１のガイド部２７が係合され、ロック部材２１のロック操作部材２３に対するスライド量を規制すると共にスライドをガイドする。ロック部材２１のガイド部２７は、図５に示すように、機器本体２の装着部６に装着されているバッテリパック５をロックしているとき、ガイド溝３５のロック方向側の端部３５ａに突き当って、ロック操作部材２３を図５中矢印Ｂ方向にスライドした方向に押圧する押圧部となっている。ガイド部２７は、ロック操作部材２３の操作部３３が反ロック方向、すなわち図５中反矢印Ｂ方向にスライドされ、図７に示すように、操作部３３が操作開口部の略半円孤状の端部に突き当るまでは、ガイド溝３５のロック方向側の端部３５ａに突き当っている。操作部３３が操作開口部の略半円孤状の端部に突き当ると、ロック部材２１のロック爪２５は、第２の傾斜面２５ｃのみが装着部６に突出し、バッテリパック５の段差部１０を支持している仮止めの状態になる。
【００３５】
この後、バッテリパック５が装着部６より取り外すように操作されると、ロック爪２５の第２の傾斜面２５ｃは、バッテリパック５の段差部１０に押圧され、これにより、ロック部材２１がロック操作部材２３に対して反ロック方向となる図７中反矢印Ｂ方向にスライドし、図８に示すように、ガイド部２７とガイド溝３５の端部３５ａとが離間した状態となる。
【００３６】
なお、図４に示すように、ロック操作部材２３のロック方向の両側縁部は、スライドガイド部３６，３６となっており、ロック操作部材２３は、外筐２８の操作開口部３２の両側に形成されたスライドガイド壁３７，３７の間に配設され、スライドガイド部３６，３６がスライドガイド壁３７，３７の内側の面に摺接することによって、ロック方向及び反ロック方向のスライドがガイドされることになる。
【００３７】
以上のように構成されるロック機構２０は、ロック操作部材２３が操作部３３を操作開口部３２より外部に臨ませるように外筐２８の内側に取り付けられ、ガイド溝３５にロック部材２１がロック爪２５を装着部６に臨ませるようにして取り付けられ、収納部２６内に付勢部材２２を収納し、最後に、押さえ部材２９を外筐２８に固定することによって組み立てられる。かくして、ロック機構２０は、ロック操作部材２３によって、ロック部材２１がバッテリパック５の装着部６への装着方向である図４及び図５中矢印Ａ方向に対して略直交するロック方向、すなわち図４及び図５中矢印Ｂ方向にスライド可能に取り付けられることになる。
【００３８】
以上のようなロック機構２０は、ビデオカメラ１の使用時等、バッテリパック５が装着部６に装着されているとき、図５に示すような状態にある。すなわち、バッテリパック５が機器本体２の装着部６に装着されているとき、ロック部材２１は、付勢部材２２の付勢力によって、ロック方向となる図５中矢印Ｂ方向にスライドし、バッテリパック５をロックしたロック位置にあり、ガイド溝３５にガイド部２７が係合して取り付けられているロック操作部材２３も、付勢部材２２によって付勢されているロック部材２１によって、ロック方向となる図５中矢印Ｂ方向にスライドした状態となっている。したがって、ロック爪２５は、第１の傾斜面２５ａ、平坦部２５ｂ及び第２の傾斜面２５ｃが装着部６の外方に突出し、バッテリパック５は、第１の傾斜面２５ａの部分で、図５及び図６中矢印Ａ方向に押し上げられている。したがって、バッテリパック５は、装着部６内で、装着方向である図５及び図６中矢印Ａ方向に押し付けられていることになり、装着部６に装着された際のガタつきが防止されている。
【００３９】
バッテリパック５を装着部６より取り外す際には、外筐２８の操作開口部３２より外部に臨まされているロック操作部材２３の操作部３３を指等で操作して、ロック操作部材２３を付勢部材２２の付勢力に抗して反ロック方向である図５及び図７中反矢印Ｂ方向にスライドさせる。すなわち、ロック操作部材２３は、ガイド溝３５の端部３５ａでロック部材２１のガイド部２７を押圧して、付勢部材２２の付勢力に抗して反ロック方向にスライドされることになる。そして、図７に示すように、ロック操作部材２３は、操作部３３が外筐２８の操作開口部３２の略円弧状の端部に突き当るまでスライドされる。
【００４０】
このとき、ロック部材２１のロック爪２５は、第２の傾斜面２５ｃのみが装着部６に突出したバッテリパック５の仮止め位置に移動した状態となる。すなわち、バッテリパック５は、段差部１０と第２の傾斜面２５ｃとが当接し、付勢部材２２の付勢力によって装着部６に突出しているロック爪２５の第２の傾斜面２５ｃで支持されている状態となる。したがって、図７に示す状態は、バッテリパック５が装着部６より外れやすい状態であり仮止めの状態である。
【００４１】
図７に示すバッテリパック５の仮止めの状態からバッテリパック５が装着部６から取り外す反装着方向となる図７及び図８中反矢印Ａ方向の力が加えられると、図８に示すように、ロック部材２１は、段差部１０でロック爪２５の第２の傾斜面２５ｃが付勢部材２２の付勢力に抗して押圧されることによって、ガイド部２７とガイド溝３５の端部３５ａとが離間したロック解除位置に移動した状態となる。これにより、バッテリパック５は、装着部６にロックされた状態が完全に解除されたことになり、装着部６より取り外されることになる。
【００４２】
なお、バッテリパック５が装着部６より分離され取り外されると、ロック部材２１及びロック操作部材２３は、付勢部材２２の付勢力によって図６の状態に戻ることになる。
【００４３】
以上のように構成されたビデオカメラでは、図７に示すように、ユーザによってバッテリパック５のロックを解除する操作、具体的にはロック操作部材２３を反ロック方向にスライドする操作を行っても、ロック部材２１のロック爪２５の第２の傾斜面２５ｃに仮止めされた状態となり、直ちにバッテリパック５が装着部６より外れることがないことから、バッテリパック５が装着部６より不用意に落下することを防止することができる。また、バッテリパック５が装着部６に装着されている状態において、バッテリパック５は、ロック部材２１のロック爪２５の第１の傾斜面２５ａによって装着部６内で押し上げられていることから装着部６内でのガタつきが防止され、使用感の向上を図ることができる。
【００４４】
以上のようなロック機構２０は、ロック部材２１とロック操作部材２３とをロック方向に付勢する付勢部材２２を１個のコイルバネを用い部品点数の増加を防止しているが、本発明は、次に説明するように、ロック部材を付勢する付勢部材とロック操作部材を付勢する付勢部材とを別々に設けるようにしてもよい。
【００４５】
すなわち、このロック機構５０は、図１０に示すように、装着部６に装着されたバッテリパック５をロックするロック部材５１と、このロック部材５１を反ロック方向にスライド可能にするロック操作部材５２と、ロック部材５１をロック操作部材５２に対してロック方向に付勢する第１の付勢部材５３と、ロック操作部材５２をロック方向に付勢する第２の付勢部材５４とを備えている。なお、図９は、本発明が適用された図４乃至図８に示したロック機構２０を原理的に示した図であり、この図１０に示すロック機構５０と対比しやすいように記載したものである。また、図９及び図１０の例においては、バッテリパック５に、段差部１０が設けられていない例を示している。
【００４６】
ロック部材５１は、本体部５５の先端部にロック爪５６とガイド部５７とが形成されてなる。ロック爪５６は、バッテリパック５のコーナ部を支持する部分が単一の傾斜面５６ａで形成されている。またガイド部５７は、ロック操作部材５２側に突出して形成され、ロック操作部材５２と係合し得るように形成されている。
【００４７】
ロック操作部材５２は、外筐２８に形成された操作開口部３２より一部が外部に臨まされユーザによって操作される部材である。このロック操作部材５２は、操作開口部３２より外部に臨まされる操作部５８と、操作部５８の裏側に、ロック部材５１のスライドをガイドするガイド部５７が係合されるガイド溝５９とを有する。なお、ここで、操作部５８及び操作部５８が外部に臨まされる操作開口部３２は、上述したロック機構２０の操作部３３及び操作開口部３２と同様なため詳細は省略する。
【００４８】
ガイド溝５９は、操作部５８の裏側に設けられるガイド溝５９は、ロック部材５１のガイド部５７が係合され、ロック部材５１のロック操作部材５２に対するスライド量を規制すると共にスライドをガイドする。
【００４９】
第１の付勢部材５３は、ロック部材５１の一部に形成された係止部６１ａとロック操作部材５２の一部に形成された係止部６１ｂとの間に配設された例えばコイルバネであり、ロック部材５１をロック操作部材５２に対してロック方向となる図１０中矢印Ｂ方向に付勢するようにしている。また、第２の付勢部材５４は、外筐２８に固定された上述した押さえ部材２９等に形成された係止部６２ａとロック操作部材５２の一部に形成された係止部６２ｂとの間に配設され、係止部６２ａに対してロック操作部材５２をロック方向となる図１０中矢印Ｂ方向に付勢するようにしている。第１及び第２の付勢部材５３，５４は、共に、それぞれの部材をロック方向となる図１０中矢印Ｂ方向に付勢するものであるが、第２の付勢部材５４の方が第１の付勢部材５３より付勢力が大きいコイルバネが用いられている。
【００５０】
図１０（Ａ）に示すように、バッテリパック５を装着部６にロックしているとき、ロック操作部材５２が外筐２８に対して第２の付勢部材５４の付勢力によって図１０中矢印Ｂ方向に付勢され、ロック部材５１がロック操作部材５２に対して第１の付勢部材５３の付勢力によって図１０中矢印Ｂ方向に付勢される。これにより、ロック操作部材５２は、ガイド溝５９の一端部の押圧部５９ａで、ロック部材５１の被押圧部５９ｂを押圧することになり、ロック部材５１は、第１の付勢部材５３と第２の付勢部材５４の合せた付勢力、すなわち強い付勢力で、図１０中矢印Ｂ方向に付勢され、装着部６より突出し、ロック爪５６の傾斜面５６ａでバッテリパック５を支持しロックすることになる。
【００５１】
図１０（Ｂ）に示すように、ロック操作部材５２が図１０中反矢印Ｂ方向にスライドされると、第２の付勢部材５４が収縮し、第１の付勢部材５３は、係止部６１ｂが後退することに伴って伸張し、ロック部材５１は、伸長した第１の付勢部材５３の付勢力、すなわち弱い付勢力で、図１０中矢印Ｂ方向に付勢され、装着部６より突出し、ロック爪５６の傾斜面５６ａでバッテリパック５を支持し仮止めすることになる。
【００５２】
そして、バッテリパック５が装着部６より取り外すように操作されると、図１０（Ｃ）に示すように、ロック爪５６の傾斜面５６ａは、バッテリパック５のコーナ部に押圧され、第１の付勢部材５３は収縮し、ロック爪５６は、装着部６より引っ込む。これにより、バッテリパック５は、装着部６にロックされた状態が完全に解除されたことになり、装着部６より取り外されることになる。この際、バッテリパック５は、伸長した第１の付勢部材５３の弱い付勢力によって、ロック爪５６の傾斜面５６ａで支持されているだけであるから、装着部６に仮止め状態にあるバッテリパック５を図１０（Ｂ）中反矢印Ａ方向に力を加えて取り外すことができる。
【００５３】
なお、バッテリパック５が装着部６より分離され取り外されると、ロック部材５１及びロック操作部材５２は、第１及び第２の付勢部材５３，５４の付勢力によって図１０（Ａ）の状態に戻ることになる。
【００５４】
以上のように構成されたロック機構５０では、図１０（Ｂ）に示すように、ユーザによってバッテリパック５のロックを解除する操作、具体的にはロック操作部材５２を第２の付勢部材５４の付勢力に抗して反ロック方向にスライドする操作を行っても、第１の付勢部材５３の弱い付勢力によってロック部材５１のロック爪５６の傾斜面５６ａに仮止めされた状態となり、直ちにバッテリパック５が装着部６より外れることがないことから、バッテリパック５が装着部６より不用意に落下することを防止することができる。また、バッテリパック５が装着部６に装着されている状態において、バッテリパック５は、ロック部材５１のロック爪５６の傾斜面５６ａによって装着部６内で押し上げられていることから装着部６内でのガタつきが防止され、使用感の向上を図ることができる。更に、バッテリパック５が装着部６に仮止め状態にあるとき、バッテリパック５は、伸長した第１の付勢部材５３の弱い付勢力によって、ロック爪５６の傾斜面５６ａで支持されているだけであるから、装着部６に仮止め状態にあるバッテリパック５を図１０（Ｂ）中反矢印Ａ方向に力を加えて取り外すことができる。
【００５５】
そして、以上のようなロック機構５０では、第１の付勢部材５３を装着部６のバッテリパック５を仮止めするための目的に用いるようにし、第２の付勢部材５３をロック操作部材５２とロック部材５１とをロック方向に付勢する目的に用いるようにし、それぞれの付勢部材の使用目的を明確に分けたことにより、それぞれの目的に最適な付勢力を有する付勢部材を用いることができる。そして、ロック機構５０は、それぞれの目的に最適な付勢部材を用いることで、ロック爪５６の傾斜面を１つにして形状を簡素化することができる。なお、このロック機構５０において、ロック爪５６の形状を、ロック機構２０の第１及び第２の傾斜面２５ａ、２５ｃを有するロック爪２５の形状と同じにしても良い。
【００５６】
なお、ロック機構２０，５０において、バッテリパック５とロック部材２１，５１のロック爪２５，５６とが係合する位置は、装着部６への装着面の下側コーナ部に限定されるものではなく、例えば、ロック爪２５，５６が装着面の何れかの位置、例えばバッテリパック５の下側コーナ部より上側の装着面に設けられた凹部に係合するようにしてもよい。
【００５７】
また、以上、本発明が適用されたビデオカメラに装着されるバッテリパックのロック機構を例にとり説明したが、本発明はこれに限定されるものではなく、例えば、携帯電話機、ＰＤＡ等の携帯型情報処理装置、スチルカメラ等の撮像装置といった電子機器に装着されるバッテリパックのロック機構等に適用することもできる。また、機器本体に対して装着されるものも、バッテリパックに限定されるものはなく、機器本体に着脱可能なアクセサリ等であってもよい。
【図面の簡単な説明】
【００５８】
【図１】本発明が適用されたビデオカメラをバッテリパックの装着部側から見た斜視図である。
【図２】バッテリパックをビデオカメラの装着部への装着面側から見た斜視図である。
【図３】ビデオカメラにバッテリパックが装着された状態を示す斜視図である。
【図４】ロック機構の分解斜視図である。
【図５】ロック機構が装着部に装着されたバッテリパックをロックした状態を示す要部断面図である。
【図６】ロック部材のロック爪の側面図である。
【図７】ロック機構が装着部に装着されたバッテリパックを仮止めしている状態を示す要部断面図である。
【図８】ロック機構のロックが解除され装着部からバッテリパックが取り外される状態を示す要部断面図である。
【図９】本発明が適用された図４乃至図８に示したロック機構を原理的に示した図であり、（Ａ）はロック時、（Ｂ）は仮止め時、（Ｃ）はロック解除時を示している。
【図１０】図９との対比において、本発明が適用されたロック機構の他の例を原理的に示した図であり、（Ａ）はロック時、（Ｂ）は仮止め時、（Ｃ）はロック解除時を示している。
【図１１】バッテリパックを装着部にロックしている状態の従来のロック機構を示す断面図である。
【図１２】バッテリパックのロックが解除された状態の従来のロック機構を示す断面図である。
【符号の説明】
【００５９】
１  ビデオカメラ、２  機器本体、２ａ  撮像部、３  ビューファインダ、４  表示パネル、５  バッテリパック、６  装着部、６ａ  上面部、６ｂ  底面部、６ｃ，６ｄ  側面部、７  端子部、８  係合溝、９  突出部、１０  段差部、１１  バッテリ端子、１２  係合片、２０  ロック機構、２１  ロック部材、２２  付勢部材、２３  ロック操作部材、２４  本体部、２５  ロック爪、２５ａ  第１の傾斜面、２５ｂ  平坦部、２５ｃ  第２の傾斜面、２６  収納部、２６ａ  係止突起、２７  ガイド部、２８  外筐、２９  押さえ部材、３１  逃げ穴、３１ａ  係止突起、３２  操作開口部、３３  操作部、３３ａ  操作方向表示部、３４  ガイド板、３５  ガイド溝、３５ａ  端部、３６  ガイド溝、３６  スライドガイド部、３７  スライドガイド壁、５０  ロック機構、５１  ロック部材、５２  ロック操作部材、５３  第１の付勢部材、５４  第２の付勢部材、５５  本体部、５６  ロック爪、５６ａ  傾斜面、５７  ガイド部、５８  操作部、５９  ガイド溝、５９ａ  押圧部、５９ｂ  被押圧部、６１ａ，６１ｂ  係止部、６２ａ，６２ｂ  係止部
【図１】
2009158197.tif 000003
【図２】
2009158197.tif 000004
【図３】
2009158197.tif 000005
【図４】
2009158197.tif 000006
【図５】
2009158197.tif 000007
【図６】
2009158197.tif 000008
【図７】
2009158197.tif 000009
【図８】
2009158197.tif 000010
【図９】
2009158197.tif 000011
【図１０】
2009158197.tif 000012
【図１１】
2009158197.tif 000013
【図１２】
2009158197.tif 000014